(57)【要約】【解決手段】  抵抗運動器具などの装置であって、前記装置の可動面に外力を加えることによって一方向に当該可動面が移動することを当該装置が一定時間の間抑制することを可能し、且つ前記外力と反対方向に当該可動面が移動することを当該装置が無制限に許容する機構を有し、前記可動面は、前記加えられた外力と反対方向に力を加える抵抗源に接続されているものである装置。【選択図】      図２
2008509758.tif 000002
【特許請求の範囲】
【請求項１】
抵抗運動器具などの装置であって、
前記装置の可動面に外力を加えることによって一方向に当該可動面が移動することを当該装置が一定時間の間抑制することを可能し、且つ前記外力と反対方向に当該可動面が移動することを当該装置が無制限に許容する機構を有し、
前記可動面は、前記加えられた外力と反対方向に力を加える抵抗源に接続されているものである
装置。
【請求項２】
請求項１記載の装置において、この装置は運動器具である。
【請求項３】
請求項２記載の装置において、前記器具は抵抗運動器具である。
【請求項４】
請求項３記載の抵抗運動器具において、前記機構は、
ａ）前記可動面の可動域に従って当該可動面の位置を決定し、この可動面の位置に対応する適切な信号を中継する感知機構と、
ｂ）作動信号を制御するタイマーと、
ｃ）前記可動面の一方向への移動を抑制する停止作動機構と
を有するものである。
【請求項５】
請求項４記載の抵抗運動器具において、前記タイマーは間隔タイマーである。
【請求項６】
請求項５記載の抵抗運動器具において、前記感知機構は、ローラーを有するスナップ作用感知スイッチと、前記スイッチを作動させる手段とを有するものである。
【請求項７】
請求項５記載の抵抗運動器具において、前記感知機構は、光遮断センサーと、前記センサーを作動させる手段とを有するものである。
【請求項８】
請求項５記載の抵抗運動器具において、前記感知機構は、バーコード読取装置と、プロセッサと、前記読取装置を作動させる手段とを有するものである。
【請求項９】
請求項６記載の抵抗運動器具において、前記停止作動機構は活動抑制インジケータを有するものである。
【請求項１０】
請求項７記載の抵抗運動器具において、前記停止作動機構は活動抑制インジケータを有するものである。
【請求項１１】
請求項８記載の抵抗運動器具において、前記停止作動機構は活動抑制インジケータを有するものである。
【請求項１２】
請求項６記載の抵抗運動器具において、前記停止作動機構は電気ブレーキを有するものである。
【請求項１３】
請求項７記載の抵抗運動器具において、前記停止作動機構は電気ブレーキを有するものである。
【請求項１４】
請求項８記載の抵抗運動器具において、前記停止作動機構は電気ブレーキを有するものである。
【請求項１５】
請求項６記載の抵抗運動器具において、前記停止作動機構はソレノイドと、格納式ピンとを有するものである。
【請求項１６】
請求項７記載の抵抗運動器具において、前記停止作動機構はソレノイドと、格納式ピンとを有するものである。
【請求項１７】
請求項８記載の抵抗運動器具において、前記停止作動機構はソレノイドと、格納式ピンとを有するものである。
【請求項１８】
請求項１２記載の抵抗運動器具において、前記停止作動機構は、前記可動面に外力を加えることによって生じた移動の減少を示す活動抑制インジケータをさらに有するものである。
【請求項１９】
請求項１３記載の抵抗運動器具において、前記停止作動機構は、前記可動面に外力を加えることによって生じた移動の減少を示す活動抑制インジケータをさらに有するものである。
【請求項２０】
請求項１４記載の抵抗運動器具において、前記停止作動機構は、前記可動面に外力を加えることによって生じた移動の減少を示す活動抑制インジケータをさらに有するものである。
【請求項２１】
請求項１５記載の抵抗運動器具において、前記停止作動機構は、前記可動面に外力を加えることによって生じた移動の減少を示す活動抑制インジケータをさらに有するものである。
【請求項２２】
請求項１６記載の抵抗運動器具において、前記停止作動機構は、前記可動面に外力を加えることによって生じた移動の減少を示す活動抑制インジケータをさらに有するものである。
【請求項２３】
請求項１７記載の抵抗運動器具において、前記停止作動機構は、前記可動面に外力を加えることによって生じた移動の減少を示す活動抑制インジケータをさらに有するものである。
【請求項２４】
請求項４記載の抵抗運動器具において、この運動器具は胴体を運動させるものである。
【請求項２５】
請求項４記載の抵抗運動器具において、この運動器具は腕を運動させるものである。
【請求項２６】
請求項４記載の抵抗運動器具において、この運動器具は頭部を運動させるものである。
【請求項２７】
請求項４記載の抵抗運動器具において、この運動器具は頸部を運動させるものである。
【請求項２８】
請求項４記載の抵抗運動器具において、この運動器具は指を運動させるものである。
【請求項２９】
請求項４記載の抵抗運動器具において、この運動器具は骨盤を運動させるものである。
【請求項３０】
請求項４記載の抵抗運動器具において、この運動器具はベンチプレス（ｂｅｎｃｈ  ｐｒｅｓｓ）マシンである。
【請求項３１】
請求項４記載の抵抗運動器具において、この運動器具はプルダウン（ｐｕｌｌ  ｄｏｗｎ）マシンである。
【請求項３２】
請求項４記載の抵抗運動器具において、この運動器具は二頭筋カール（ｃｕｒｌ）マシンである。
【請求項３３】
請求項４記載の抵抗運動器具において、この運動器具は脚伸展用マシンである。
【請求項３４】
請求項４記載の抵抗運動器具において、この運動器具はスミスマシン（ｓｍｉｔｈ  ｍａｃｈｉｎｅ）である。
【請求項３５】
請求項４記載の抵抗運動器具において、この運動器具は、軍事用プレスマシン、上腕三頭筋プレスマシン、ローイング（ｒｏｗｉｎｇ）マシン、デッドリフト（ｄｅａｄ−ｌｉｆｔ）マシン、腰背部伸展用マシン、シュラッグ（ｓｈｒｕｇ）マシン、ディップ（ｄｉｐ）マシン、頸部用マシン、シットアップマシン、腹斜筋用マシン、腹部引き締め用マシン、腹筋用マシン、脚上げ用マシン、プルオーバーマシン、外転筋用マシン、ラタラルレイズ（ｌａｔｅｒａｌ  ｒａｉｓｅ）マシン、前腕カールマシン、前腕伸筋用マシン、グリップマシン、腱板用マシン、トレンチカール（ｔｒｅｎｃｈ  ｃｕｒｌ）マシン、三頭筋用ドンキーキックバック（ｄｏｎｋｅｙ  ｋｉｃｋｂａｃｋ）マシン、フライマシン、ペックデッキ（ｐｅｃｔｏｒａｌ  ｄｅｃｋ）マシン、臀部用マシン、膝腱用カールマシン、レッグプレスマシン、スクワットマシン、カーフレイズ（ｃａｌｆ  ｒａｉｓｅ）マシン、前脛骨用マシン、後部三角筋用マシン、前部三角筋用マシン、胴部回転用マシン、およびケーブルマシンからなる群から選択されるものである。
【請求項３６】
抵抗運動器具を使用する方法であって、
ａ）前記器具上の、抵抗源と接続された可動面を身体部分に接触させる工程と、
ｂ）前記身体部分を介して前記可動面に力を加えることにより、前記抵抗源によって生じた力と反対方向に当該可動面を移動させる工程と、
ｃ）前記身体部分によって生じた力により前記可動面がある一定の距離を移動した後、当該可動面の移動を一定時間の間抑制する工程と、
ｄ）前記一定時間の後、前記可動面の移動の抑制を解除する工程と、
ｅ）前記移動した一定の距離を超えて前記可動面を移動させる工程と
を有する方法。
【請求項３７】
抵抗運動器具などの装置の部品を有する部品一式であって、
前記装置は、当該装置の可動面に外力を加えることによって一方向に前記可動面が移動することを当該装置が一定時間の間抑制することを可能し、且つ前記外力と反対方向に当該可動面が移動することを当該装置が無制限に許容する機構を有し、
前記可動面は、前記加えられた外力と反対方向に力を加える抵抗源に接続されているもである
部品一式。
【請求項３８】
請求項３７記載の部品一式において、この部品一式は、
ａ）前記可動面の可動域に従って当該可動面の位置を決定し、この可動面の位置に対応する適切な信号を中継する感知機構と、
ｂ）作動信号を制御するタイマーと、
ｃ）前記可動面の一方向への移動を抑制し、且つ当該可動面の別の方向への移動を許容する停止作動機構と
を有するものである。
【発明の詳細な説明】
【技術分野】
【０００１】
本発明は特定の耐性運動装置の運動装置に関する。
【背景技術】
【０００２】
これらの機械の運動の角が目標とされた筋または筋上の機械の効能を最大にするために、多くの耐性運動機械建設業者の第一焦点は運動機械の設計であった。これらの機械は、さまざまな筋および筋グループを目標とする運動をエミュレートした。それらは、ａｗｅｉｇｈｔｅｄされた板プリーシステム、管を滑動させることに関する重くなる板、米国特許第６，４３６，０１３号、フレクシブル物質、米国特許第５，３８７，１７１号、温泉、てこ作用システム、動水半径、米国特許第４，９７９，７３５号、空圧制御膝継手、米国特許第４，７２８，１０１号、ブレーキ系、米国特許第４，８２２，０３７号その他によるｇｉｖｅｎｒｅｓｉｓｔａｎｃｅを行使することが可能であるような耐性源。
【０００３】
若干の機械は、ｅｘｅｒｃｉｓｅｂｅｉｎｇする関節可動域に沿った機構が執行した可変抵抗を規定することに集中した。これらの可変抵抗機械は、変量半径またはカム輪郭を有するカムを運用する。このメカニズムについては、カムが回転するように、それはユーザーが関節可動域に沿って異なる点で有する機械的利益を変化させる。この種のメカニズムは、共通にノーチラス型機械と関連する。他の耐性運動機械は、重くなるてこ作用腕（ピボット−型機械）を運用する。
【０００４】
前述の易変の耐性機構を有するそれらを勘定に入れて、大部分の耐性運動機械はワイヤロープのようなテザーを運用する。そして、鎖、ベルト、等が付加耐性に接続している。この付加耐性源は、大部分の症例（調節できる）において、執行されている運動の関節可動域に沿って、耐性を増減するために、それ自体である。耐性の増加および減少は、求められた体重セッティングで煙突のピンを配置することによって、体重煙突によって、容易に執行されることができる。より現代的な機械については、ユーザーは単に耐性の求められたレベルにおいて、穴があくだけである。耐性の度を選任するための手段を有するこれらの可変抵抗運動機械は、運動機械工業の全体にわたる共有空地である。
【０００５】
体重機械は、また、リハビリテーション領域において、運用される。この領域において、患者が有限会社の上の耐性トレーニングまたは可能ならば与えられた運動のための十分の関節可動域の恩典を故買することは、重要である。若干の機械は、運動の範囲を規制することに集中した。それらが関節可動域（米国特許第５，７２２，９２１号）を規制することによって、それ以上の外傷を遮断することができた時から、これらの機械はリハビリテーションのために有効でもよい。
【０００６】
他の機械建設業者は、ｉｓｏｋｉｎｅｔｉｃな機械に集中した。これらの機械は、変量労働負荷または好意的な耐性を有する定常的な速度に集中する。これらの機械については、ユーザーは与えられた時間枠の範囲内で関節可動域に沿って運動を執行することを強制される。これらの機械は、自然において、運動で、等尺性筋運動を提供しない。
【０００７】
前述の機械の全ておよび今まで公知のそれらは、ｉｓｏｍｅｔｒｉｃａｌｌｙに筋または筋を行使して、筋または筋に執行されている運動の関節可動域の間、そして、に沿って、慣性を克服することを強制することに集中するというわけではなくて、このように繰返しの間、等尺性で徐々に増加する筋収縮に集中するというわけではない。抵抗された筋収縮運動および等尺性筋運動の恩典は、公知であった。
等尺性で抵抗された筋収縮は、ｓｈｏｗｎｔｏであったｍｕｓｃｌｅｈｙｐｅｒｔｒｏｐｈｙを誘導して、そして、筋成長因子を増加する（等価物持続期間の等尺性で、延長していて短縮しているトレーニング期間に応答する骨格筋肥大。Ｊ  Ａｐｐｌ  Ｐｈｙｓｉｏｌ．２００４の５月；９６（５）：１６１３−８．）．しかし、そこで、運動の関節可動域に沿って等尺性で徐々に増加する収縮を執行するユーザーまたは徐々に増加して等大の縮みのために設計されるｉｓｎｏｅｘｅｒｃｉｓｅｍａｃｈｉｎｅは、執行した。
【０００８】
このように、ｉｓｏｍｅｔｒｉｃａｌｌｙに、そして、同心で目標とされた筋または筋グループを動かす運動装置の必要は、運動装置に執行されている運動の関節可動域の間、そして、に沿って残る。
【発明の開示】
【課題を解決するための手段】
【０００９】
本発明によれば、時間の量のために、ａｐｐａｒａｔｕｓｗｈｉｃｈは耐性運動装置上の移動性の面の運動を禁止する。その一方で、装置は他の方向の移動性の面の運動を許す。そこにおいて、移動性の面は、耐性源に連結される。本発明に関して、面の運動は、耐性源の力の方向の反対側にあるそれである。ユーザーは耐性源の力の反対側に、外力を行使する。そして、それは移動性の面に印加外力の方向に動かせる。本発明で関連される移動性の面の運動は、抵抗力に直径である。移動性の面が確かな距離を動かすように、メカニズムは時間の量のための外力の方向に、移動性の面の運動を禁止する、そうすると、抑制は取りはずされる。
【発明を実施するための最良の形態】
【００１０】
本発明の好適な実施例が示される添付図面に関して、本発明は現在より完全に記述される。本願明細書において、記載される具体化に限られているように、本発明はしかし多くの異なる形態において、具体化されることができて、解釈されてはならない。むしろ、この告知が完全で、当業者に完全に本発明の適用範囲を運ぶために、具体化は規定される。図面の数の様に、全体に要素の類のを参照する。
【００１１】
私本発明の態様、本発明は装置（例えば時間の量のための関節可動域に沿って、間隔の抑止ゲートに装置を許すためのメカニズムを含む耐性運動機械、移動性の面に行使される外力によって、原因となられる方向の装置上の移動性の面の運動）を規定する。その一方で、装置は外力に反対方向の移動性の面の拘束されない運動を許す、そして、移動性の面は外の印加力に直径である力を行使する耐性源に連結される。
【００１２】
本発明の第１実施例において、本発明は運動機械である。
【００１３】
本発明の秒および好適な実施例において、本発明は耐性運動装置である。本実施例において、耐性運動装置は時間の量のための関節可動域に沿って、間隔の抑止ゲートに装置を許すためのメカニズムを含む。そして、方向の運動が装置上の移動性の面に適用される外力によって、原因となられる。本発明に関して、面の運動は、装置の耐性源によって、異議を申し立てられる運動である。装置は、外力だけの方向に、そして、耐性源の力の方向だけでなく移動性の面を禁止する。
【００１４】
本実施例において、外力は装置上の移動性の面に、装置のユーザーにより行使される力である。移動性の面は、耐性源に連結される。移動性の面の一方向の運動を禁止するメカニズムの可能な位置は、１Ｃまで図ＩＡにおいて、図で示される。図ＩＡは、代表的なカム−型運動機械である。レバー−型かカム−型運動機械の移動性の面の一方向の運動を禁止するメカニズムは、カムまたはピボットの中心にあることができる。同様に、図ＩＢに示されているように、移動性の面の一方向の運動を禁止するメカニズムは、プリーの中心にあることができる。さらに、テザーの経路に沿ったいかなるプリーも、運動の間、運動を禁止するために用いることがありえる。移動性のｓｕｒｆａｃｅｍａｙのｔｈｅｍｅｃｈａｎｉｓｍｔｏｉｎｈｉｂｉｔ  ｕｎｉｄｉｒｅｃｔｉｏｎａｌｍｏｖｅｍｅｎｔが管−型運動に置かれるところが機械加工する図１Ｃｓｈｏｗｓ。管−型運動機械において、鍛治工機械の、テザーはまた、移動性の面に連結されることができる。テザーは、それからプリー、カムまたは回転する装置を省くことができる。そのような場合、メカニズムはまた、プリーに連結されることができる、または、メカニズムはテザーの直接に一方向の運動を禁止できる。
【００１５】
好適な実施例において、運用される移動性の面のｍｅｃｈａｎｉｓｍｔｏてトリガーて抑止ゲート一方向の運動の概略図は、図２において、図で示される。図２は、装置上の運動の経路に沿って移動性の面を禁止するための優先のメカニズムの概略図である。メカニズムは、以下から成る：ａｐｏｗｅｒ供給（なるべくならｅｌｅｃｔｒｉｃａｌｐｏｗｅｒ源）；ｓｅｎｓｉｎｇｍｅｃｈａｎｉｓｍ；タイマー；そして、もたつくエフェクタメカニズム。検知メカニズム、タイマーおよびもたつくエフェクタメカニズムは、彼ら自身の電源装置（破線の矢印線）を有することができる。活性化信号（固形の矢印線）がもたつくエフェクタメカニズムに検知メカニズムからタイマーまで流れるために、好適な実施例において、検知メカニズム、タイマーおよびもたつくエフェクタメカニズムは電気的に連結される。ｓｅｎｓｉｎｇｍｅｃｈａｎｉｓｍは、ａｍｏｖａｂｌｅな面の位置を決定して、妥当な活性化信号（タイマーに対する移動性の面の位置に応答する）を中継する。タイマーは、それからもたつくエフェクタメカニズムに活性化信号の持続期間または遅れを制御する。もたつくエフェクタメカニズムは、方向の移動性の面の運動を禁止する手段を提供するメカニズムである。方向において、停止することによって、メカニズムがそうであるならば、運動の抑制の手順：１）機械的な抑制；２）移動性の面上の外の印加力によって、原因となられるこの種の運動が外の印加力によって、原因となられる方向のいかなるそれ以上の運動も停止させるために減らされるという妥当な信号で要請する；または３）上記の手順の両方ともの組み合わせによって。好適な実施例において、抑制の手順は、機械的である。
【００１６】
移動性の面の運動を引き金を引いて、禁止する上述のメカニズムは、次の傾向の本発明工場と連動して運用した：１）外力が耐性源に連結される移動性の面に、装置のユーザーにより行使されるように、移動性の面が有する検知メカニズムｄｅｔｅｃｔｓｗｈｅｎが確かな距離（印加力の方向に、そして、耐性源力の方向の反対側に）を進行して、執行されている運動の関節可動域に沿って、確かな位置をなしとげて；２）関節可動域に沿って位置を確かめると、即座に、検知メカニズムがタイマーに妥当な活性化信号を派遣すること；３）、タイマーもそれからメカニズムまたはタイマーがじかに信号を派遣するもたつくエフェクタに、信号に時間の与えられた量のためのもたつくエフェクタメカニズムを送る際に延期する。メカニズムがそうすることができるもたつくエフェクタ：ａ）は、外の印加力の方向に機械的に面のそれ以上の運動を禁止する；ｂ）は、時間の与えられた量のための可動面の運動の休止および至急うっ血のための信号と協力して、外の印加力の方向に機械的に面のそれ以上の運動を禁止する；または時間の与えられた量のための可動面の運動の休止および至急うっ血のためのｃ）信号。
【００１７】
検知メカニズムは、含むが、これに限定されるものではなくなることができる：バーコードリーダおよびプロセッサ；機械的なセンサースイッチ；時限開閉器センサーまたは時限開閉器は、センサーを連結した。好適な実施例において、検知メカニズムは、時限開閉器センサーを含む。好適な実施例のタイマーは、間隔計時機構である。メカニズムがそうすることができるもたつくエフェクタは、含むが、これに限定されるものではない：電気のドラムブレーキ；電気のクランプブレーキ；格納式のピンを有するソレノイド；運動の電気のドラムブレーキおよび休止は、信号を送る；運動の電気のクランプブレーキおよび休止は、信号を送る；格納式のピンを有するソレノイドおよび運動の休止は、信号を送る；そして、運動信号の休止；テザーのまわりで巻きつく、自由に通過するテザーを許すが、前突、結び目、球ビードその他を遮断するクランプのような装置ような、移す（この種の装置は、また、センサーとして作用してもよい）ことからのテザーに書き添える。好適な実施例のもたつくエフェクタメカニズムは、電気のドラムブレーキを含む。
【００１８】
検知メカニズムはまた、電磁式の読者およびプロセッサを運用できる、音の読者、そして、プロセッサその他そのように、インタープリトに関しては、可動部の位置はタイマーおよびもたつくエフェクタメカニズムに表面をつけて、妥当な信号を派遣する。センサーは、固定したか移動性の面にあることができる。センサーは、また、もたつくエフェクタとして機能できる。メカニズムが直接に妥当な信号またはそれがそうすることができる送信において、移動性の面がある位置を検出できると感じることは、移動性の面が間接的にある位置が移動性の面によって、確かめられる位置と一致する装置をその他を運用することによって、分かれるかまたは共同したと感じる。
【００１９】
時限開閉器センサー活性ホイール式 
本発明の好適な実施例の第１の傾において、本発明は運動機械（それは時間の量のための関節可動域に沿って、間隔の抑止ゲートに機械を許すためのメカニズムを含む）である。そして、外力に反対方向の面の運動を許すと共に、方向の運動が機械上の移動性の面に行使される外力によって、原因となられる。傾において、外力は機械上の面に機械のユーザーにより行使される力である。そして、それは耐性源に連結される。傾において、ディスカッションの下の移動性の面の運動は、耐性の方向の反対側に源の力において、ある。抑制メカニズムの位置は、図ＩＡにおいて、図で示される。
【００２０】
第１の傾において、そして、図２において、図で示される図によれば、運動機械は、図３Ａおよび３Ｂにおいて、図で示されるメカニズムを含む。外側の車１０は、プリーである。外側の車１０は、鎖テザーまたはこの種の身体検査をつかむために溝またはｓｐｒｏｃｋｅｔｅｄに座るケーブルテザーまたはベルトテザーを許すためにみぞをつけられることが可能である。具体化の、外側の車１０が図３Ｂ．のセンサー検出可能な前突１４が外側の車１０（ブレーキ胴４０）の頂部または側に書き添えられることが可能であるように、センサー検出可能な前突１４を含むことテザー、または、移動性の面の運動に関して動くいかなる可動部品にも位置させられる、さもなければ、据え付けの部分に位置させられる。好適な実施例につき３Ａ図において、円板１３の引き金を引いているｏｐｔｏ時限開閉器センサーは、運用されて、外側の車１０の側に書き添えられる。円板１３の引き金を引いているｏｐｔｏ時限開閉器センサーはセンサーによるその溝付きでｕｎｓｌｏｔｔｅｄされた部分を回転させる。そして、それによって、センサーを起動させて、停止させる。ｏｐｔｏ時限開閉器センサー２４は、１０が回転させる外側の車としてで移すために、センサー検出可能な前突１４またはｏｐｔｏ時限開閉器センサー引き金円板１３を許すために配置される。ｏｐｔｏ時限開閉器センサー２４は、電気的に間隔計時機構２６に連結される。間隔計時機構２６は、電気的にもたつくエフェクタメカニズムに連結される。優先のもたつくエフェクタメカニズムは電気の鼓膜ブレーキ機構を含む。但し、ブレーキ機構は動水半径（含気性であるか機械的な）であってもよい。円板ブレーキ機構は、また、運用されることができる。傾において、電気ブレーキ３０はブレーキ胴４０の範囲内で位置する。ブレーキ胴４０も、内側の抑制のアイレット４２および外側の抑制のアイレット１８間のインターフェイスを維持するために低圧反動抑制ばね４４を含む。内側の抑制のアイレット４２は、ブレーキ胴４０に添付される。外側の抑制のアイレット１８は、外側の車１０に添付される。内側の抑制のアイレット４２がユーザーの印加力の方向に直接に外側の抑制のアイレット１８の経路を遮断しているように、板は指向される。
【００２１】
第１の傾において、外側の車１０は、センサー検出可能な前突１４、ＦＩＧ  ２Ｂまたはタイマーの引き金を引いて、エフェクタメカニズムを停止させているｏｐｔｏ時限開閉器センサー２４による円板１３（図３Ａ）の引き金を引いているｏｐｔｏ時限開閉器センサーを回転させる。センサー検出可能な前突１４またはｏｐｔｏ時限開閉器センサー引き金円板１３がｏｐｔｏ時限開閉器センサー２４を通過するように、センサーは間隔計時機構２６に妥当な信号を派遣する。間隔計時機構２６は、電気ブレーキ３０に信号を起動させる持続期間を制御する。一旦電気ブレーキ３０が起動すると、電気装置のブレーキ片３２は自由に回転可能なブレーキ胴４０に対して、３０のプレスを制動する。そして、ブレーキ胴４０の運動を遮断する。電気ブレーキ３０は、ブレーキ胴４０の回転を止めることが可能であるために書き添えられる。内側の抑制のアイレット４２（それはブレーキ胴４０に添付される）は、外側の車１０に添付される外側の抑制のアイレット１８を禁止する。外側の車１０は、もう一方以外の１つの方向の運動をさせないようにされない。一旦間隔計時機構２６によって、送られる信号が止められると、電気ブレーキ３０は開放される。そして、外側の車１０の運動はいずれの方向にもおいて許される。
【００２２】
Ｏｐｔｏ時限開閉器センサーは、間隔計時機構−車をプラスして電気ブレーキおよび活動指標を起動させた型 
本発明の好適な実施例（図３Ｃ）の第１の傾の傾（ａ）において、間隔計時機構２６は電気的に活動抑制指標８０に連結される。活動抑制指標８０は、電気ブレーキ３０に接続している。
【００２３】
間隔計時機構２６は、活動抑制指標８０および電気ブレーキ３０に信号を起動させる持続期間を制御する。信号を起動させることは活動抑制指標８０を通過するように、電気ブレーキは起動する。活動抑制指標８０は、また、電気ブレーキ活性化の持続期間を開示できる。
【００２４】
Ｏｐｔｏ時限開閉器センサーは、間隔計時機構−ホイール式をプラスして活動指標を起動させた 
本発明の好適な実施例（図３Ｄ）の第１の傾の傾（ｂ）において、間隔計時機構２６は電気的に活動抑制指標８０に連結される。そして、システムにおいて、運用されるブレーキ機構がない。
【００２５】
間隔計時機構２６は、活動抑制指標８０に、信号を起動させる持続期間を制御する。
【００２６】
時限開閉器センサー活性管型 
本発明の好適な実施例の第２の傾の、そして、図２において、図で示される図によって、運動機械が図３Ｅにおいて、図で示されるメカニズムを含むこと。ユーザーが力を行使する移動性の面に、スリーブ５０は連結される。傾において、面は鉄棒５２にある。鉄棒５２は、また、耐性源に連結される。この傾において、耐性源は、自由体重である。スリーブ５０も、センサー検出可能な前突１４を含む。センサー検出可能な前突１４は、スリーブ５０の側を書き添えられる移動性の面の運動に関して動くいかなる可動部品上もの位置させられることができてまたは据え付けの部分上の位置させられることが可能である。ｏｐｔｏ時限開閉器センサー２４は、スリーブ５０がｏｐｔｏ時限開閉器センサー２４によるセンサー検出可能な前突１４を動かすように、通過するセンサー検出可能な前突１４を許すために配置される。ｏｐｔｏ時限開閉器センサー２４は、間隔計時機構２６に接続している。間隔計時機構２６は、もたつくエフェクタメカニズムに接続している。もたつくエフェクタメカニズムは、電気のクランプブレーキ６０を含む。電気のクランプブレーキ６０は、スリーブ５０の上に位置する。動作中でないときに、電気のクランプブレーキ６０はスリーブ案内５４に自由に動く。
【００２７】
この第２の傾において、スリーブ５０（それはセンサー検出可能な前突１４を含む）がｏｐｔｏ時限開閉器センサー２４によるセンサー検出可能な前突１４を動かすように、抑制メカニズムは引き起こされる。そして、ユーザーにより行使されている力の方向に、そして、耐性源の力の方向とは逆にこのようにスリーブ５０の運動を遮断する。センサー検出可能な前突１４がｏｐｔｏ時限開閉器センサー２４を通過するように、センサーはセンサー検出可能な前突１４を検出して、それから間隔計時機構２６に妥当な信号を送る。ｏｐｔｏ時限開閉器センサー２４ｍａｙがセンサー検出可能な前突１４を検出するために、ｏｐｔｏ時限開閉器センサー２４は書き添えられる。間隔計時機構２６は、電気のクランプブレーキ６０に、信号を起動させる持続期間を制御する。一旦電気のクランプブレーキ６０が起動すると、ユーザーの方向にスリーブ５０の運動を遮断して、電気のクランプブレーキ６０はスリーブ案内５４に対して押圧するｓ力。一旦間隔計時機構２６によって、送られる信号が止められると、電気のクランプブレーキ６０は開放される。そして、スリーブ５０の運動はいずれの方向にもおいて許される。
【００２８】
Ｏｐｔｏ時限開閉器センサーは、間隔計時機構−管をプラスして電気ブレーキおよび活動指標を起動させた 
本発明の好適な実施例（図３Ｆ）の第２の傾の傾（ａ）において、間隔計時機構２６は電気的に活動抑制指標８０に連結される。活動抑制指標８０は、電気のクランプブレーキ６０に接続している。
【００２９】
間隔計時機構２６は、活動抑制指標８０および電気ブレーキ３０に信号を起動させる持続期間を制御する。
【００３０】
Ｏｐｔｏ時限開閉器センサーは、間隔計時機構−管型をプラスして活動指標を起動させた 
本発明の好適な実施例（図３Ｇ）の第２の傾の傾（ｂ）において、間隔計時機構２６は電気的に活動抑制指標８０に連結される。そして、システムにおいて、運用されるブレーキ機構がない。
【００３１】
間隔計時機構２６は、活動抑制指標８０に、信号を起動させる持続期間を制御する。
【００３２】
Ｏｐｔｏ時限開閉器センサー活性ピンメカニズム 
本発明の好適な実施例の、そして、図２，ｔｈｅにおいて、図で示される図に従う第３の傾のｅｘｅｒｃｉｓｅｍａｃｈｉｎｅが図３Ｈにおいて、図で示されるメカニズムを含むこと。ユーザーが力を行使する移動性の面に、スリーブ５０は連結される。鉄棒５２上の移動性の面。鉄棒５２は、また、耐性源に連結される。この傾において、耐性源は、自由体重である。スリーブ５０も、センサー検出可能な前突１４を含む。センサー検出可能な前突１４は、スリーブ５０の側に書き添えられるかが、移動性の面の運動に関して動くいかなる可動部品にも位置させられることが可能であるかまたは据え付けの部分に位置させられる。ｏｐｔｏ時限開閉器センサー２４は、スリーブ５０がｏｐｔｏ時限開閉器センサー２４によるセンサー検出可能な前突１４を動かすように、通過するセンサー検出可能な前突１４を許すために配置される。ｏｐｔｏ時限開閉器センサー２４は、間隔計時機構２６に接続している。間隔計時機構２６は、ソレノイド７０に接続している。ソレノイド７０は、スリーブ案内５４に突き出て、格納式であるピンを制御する。
【００３３】
スリーブ５０（それはセンサー検出可能な前突１４を含む）がｏｐｔｏ時限開閉器センサー２４によるセンサー検出可能な前突１４を動かすように、第３の傾において、メカニズムは引き起こされる。センサー検出可能な前突１４がｏｐｔｏ時限開閉器センサー２４を通過するように、センサーはセンサー検出可能な前突１４を検出して、それから間隔計時機構２６に妥当な信号を送る。ｏｐｔｏ時限開閉器センサー２４がセンサー検出可能な前突１４を検出できるために、ｏｐｔｏ時限開閉器センサー２４は書き添えられる。間隔計時機構２６は、運動（格納式のピンのブロッケージによって、生じる）の抑制がもつ時間の長さを制御する。一旦間隔計時機構２６がソレノイド７０を起動させると、ピンの退縮は起こる。そして、ユーザーの力の方向のスリーブ５０の運動は回復される。
【００３４】
Ｏｐｔｏ時限開閉器センサーは、間隔Ｔｉｍｅｒ−ピンメカニズムをプラスして活動抑制指標を起動させた 
本発明の好適な実施例（図３１）の第３の傾の傾（ａ）において、間隔計時機構２６は電気的に活動抑制指標８０に連結される。活動抑制指標８０は、間隔計時機構２６およびｏｐｔｏ時限開閉器センサー２４の間に接続される。
【００３５】
傾において、間隔計時機構２６は活動抑制指標８０およびもたつくメカニズムに信号を起動させる持続期間を制御する。
【００３６】
バーコードセンサ活性ホイール式 
の前方に、本発明の好適な実施例の傾、運動機械は図４Ａにおいて、図で示されるメカニズムを含む。Ｔｈｉｓメカニズムは時間の量のための移動性の面の運動の抑制を起動させるためにバーコードセンサを運用する。この傾において、外側の車１０はコードを含む。そして、それは読者によって、読みとられる。傾において、コードはバーコード１２である。バーコードリーダ２０は、バーコード１２を読みとる。バーコードリーダ２０はプロセッサ２１に連結される。そして、それはバーコードリーダ２０によって、読み出される情報を処理することができて、妥当な下流活性化信号を派遣できる。ユーザー定義の入力２２は、また、プロセッサ２１に接続している。プロセッサ２１は、それ自身のタイマーを含むことができて、プログラムすることができる。この傾において、プロセッサ２１は間隔計時機構２６に接続している。間隔計時機構２６は、妥当なもたつくエフェクタメカニズムに接続している。もたつくｅｆｆｅｃｔｏｒｍｅｃｈａｎｉｓｍは、電気の鼓膜ブレーキ機構を含む。ブレーキ機構は、また、円板ブレーキであってもよい。電気ブレーキ３０は、ブレーキ胴４０の範囲内で位置する。ブレーキ胴４０も、内側の抑制のアイレット４２および外側の抑制のアイレット１８との定常的な接触に備えるために反動抑制ばね４４を含む。内側の抑制のアイレット４２は、ブレーキ胴４０に添付される。外側の抑制のアイレット１８は、外側の車１０に添付される。内側の抑制のアイレット４２がユーザーの印加力の方向に直接に外側の抑制のアイレット１８の経路を遮断しているように、板は指向される。
【００３７】
の前方に、バーコードリーダ２０が読みとる傾それからプロセッサ２１に獲得性のデータを派遣するバーコード１２。バーコードリーダ２０は、バーコードを読みとることが可能であるために書き添えられる。ユーザー定義のｉｎｐｕｔ２２からの情報は、ａｃｑｕｉｒｅｄｂｙにプロセッサである。Ｔｈｅｐｒｏｃｅｓｓｏｒ  ２１は、ユーザーの停止判定基準に与えられる予め定められた位置を有する機械上の運動のための関節可動域の間、必要とされる停止の数のためのユーザー判定基準と比較する。一旦、ユーザーの入力を有するマッチに基づいて、対応するバーコードがバーコードリーダ２０によって、読みとられると、プロセッサ２１は間隔計時機構２６に妥当な起動させている信号を派遣する、そうすると、間隔計時機構２６はもたつくエフェクタメカニズムに妥当な起動させている信号を送る。間隔計時機構２６は、電気のブレーキ機構に信号の持続期間を決定する。一旦電気ブレーキ３０が起動すると、電気装置のブレーキ片３２は自由に回転可能なブレーキ胴４０に対して、３０のプレスを制動する。そして、ブレーキ胴４０の運動を遮断する。電気ブレーキ３０は、ブレーキ胴４０の回転を止めることが可能であるために書き添えられる。内側の抑制のアイレット４２（それはブレーキ胴４０に添付される）は、外側の抑制のアイレット１８の書き添えられたｔｏｔｈｅ  ｏｕｔｅｒｗｈｅｅｌ  １０に接触する。外側の車１０は、もう一方以外の１つの方向の運動をさせないようにされない。一旦間隔計時機構２６によって、送られる信号が止められると、電気ブレーキ３０は開放される。そして、バーコードリーダ２０が予め定められた他のバーコード１２を読みとるまで、外側の車１０の運動はいずれの方向にもおいて許される。
【００３８】
バーコードセンサは、間隔計時機構をプラスして電気ブレーキおよび活動抑制指標を起動させた−ホイール式 
傾（ａ）のの前方に、間隔計時機構２６が電気的にリンクされる本発明の好適な実施例（図４Ｂ）の傾活動抑制指標８０。活動抑制指標８０は、電気ブレーキ３０に接続している。
【００３９】
傾において、間隔計時機構２６は活動抑制指標８０および電気ブレーキ３０に信号を起動させる持続期間を制御する。
【００４０】
バーコードセンサは、間隔計時機構−ホイール式をプラスして活動抑制指標を起動させた 
傾（ｂ）のの前方に、間隔計時機構２６が電気的にリンクされる本発明の好適な実施例（図４Ｃ）の傾活動抑制指標８０、そして、システムにおいて、運用されるブレーキ機構が、ない。
【００４１】
間隔計時機構２６は、活動抑制指標８０に、信号を起動させる持続期間を制御する。
【００４２】
バーコード活性管型 
本発明の好適な実施例の、そして、図２において、図で示される図に従う第５の傾の、運動機械がスリーブ５０が連結される図４Ｄ．において、図で示されるメカニズムを含むことユーザーが力を行使する移動性の面。この傾において、面は鉄棒５２にある。鉄棒５２は、また、耐性源に連結される；ここでは、５２アールの自由が重くする鉄棒の上に、耐性源は、配置した。スリーブ５０もコードを含む。そして、それは読者によって、読みとられる。妥当なコードは、メカニズムの引き金を引く。この傾において、コードはバーコード１２である。バーコードリーダ２０は、バーコード１２を読みとる。２０が連結されるバーコードリーダバーコードリーダ２０によって、読み出される情報を処理することができて、妥当な下流活性化信号を派遣できるプロセッサ２１。ユーザー定義の入力２２は、また、プロセッサ２１に接続している。プロセッサ２１は、それ自身のタイマーを含むことができて、プログラムすることができる。傾において、プロセッサ２１は間隔計時機構２６に接続している。間隔計時機構２６は、もたつくエフェクタメカニズムに接続している。もたつくエフェクタメカニズムは、電気のクランプブレーキ機構を含む。電気のクランプブレーキ６０は、スリーブ５０の上に位置する。動作中でないときに、電気のクランプブレーキ６０はスリーブ案内５４に自由に動く。
【００４３】
第５の傾において、メカニズムの活性化の引き金を引くバーコードリーダ２０によって、スリーブ５０上のバーコードは、読みとられる。バーコードリーダ２０はバーコード１２を読みとる。そして、それはそれからプロセッサ２１に獲得性のデータを送る。バーコードリーダ２０は、バーコード１２を読みとることが可能であるために書き添えられる。ユーザー定義の入力２２からの情報は、プロセッサ２１により取得される。プロセッサ２１は、ユーザーの停止判定基準に与えられる予め定められた位置を有する機械上の運動のための関節可動域の間、必要とされる停止の数のためのユーザーの判定基準と比較する。一旦バーコードリーダ２０が対応するバーコード１２を読みとると、ユーザーの入力を有するマッチに基づいて、プロセッサ２１は間隔計時機構２６に信号を派遣する、そうすると、間隔計時機構２６は電気のクランプブレーキ６０に、信号を送る。間隔計時機構２６は、電気のクランプブレーキ６０に、信号の持続期間を決定する。一旦電気のクランプブレーキ６０が起動すると、電気のクランプブレーキ６０はスリーブ案内５４に対して押圧する。そして、ユーザーの力の方向にスリーブ５０の運動を遮断する。一旦間隔計時機構２６によって、送られる信号が止められると、電気のクランプブレーキ６０は開放される。そして、スリーブ５０の運動はいずれの方向にもおいて許される。
【００４４】
バーコードセンサは、間隔計時機構−管型をプラスして電気ブレーキおよび活動抑制指標を起動させた 
本発明の好適な実施例（図４Ｅ）の第５の傾の傾（ａ）において、間隔計時機構２６は電気的に活動抑制指標８０に連結される。活動抑制指標８０は、電気のクランプブレーキ６０に接続している。
【００４５】
この傾において、間隔計時機構２６は活動抑制指標８０および電気のクランプブレーキ６０に信号を起動させる持続期間を制御する。
【００４６】
バーコードセンサは、間隔計時機構−管型をプラスして活動抑制指標を起動させた 
本発明の好適な実施例（図４Ｆ）の第５の傾の傾（ｂ）において、間隔計時機構２６は電気的に活動抑制指標８０に連結される。そして、システムにおいて、運用されるブレーキ機構がない。
【００４７】
間隔計時機構２６は、信号ｔｏｔｈｅ活動抑制指標８０を起動させる持続期間を制御する。
【００４８】
バーコードＡｃｔｉｖａｔｅｄ−ピンメカニズム 
本発明の好適な実施例の、そして、図２において、図で示される図に従う第６の傾の、運動機械が図４Ｇにおいて、図で示されるメカニズムを含むこと。スリーブ５０は、鉄棒５２に連結される。鉄棒５２は、また、耐性源に連結される。鉄棒５２に配置される耐性源は、自由体重である。スリーブ５０もコードを含む、読者ｈｉによって、読みとられる傾、コードはバーコード１２である。バーコードリーダ２０は、バーコード１２を読みとる。バーコードリーダ２０は、バーコードリーダ２０によって、読み出される情報を処理できるか、下流の活性化信号を派遣できるかまたはプロセッサに接続していることができる。バーコードリーダ２０は、間隔計時機構２６に接続している。間隔計時機構２６は、ソレノイド７０に接続している。ソレノイド７０は、スリーブ案内５４に突き出て、格納式であるピンを制御する。
【００４９】
第６の傾において、スリーブ５０上のバーコード１２は、バーコードリーダ２０によって、読みとられる。バーコードリーダ２０は、バーコード１２を読みとって、それから獲得性のデータを派遣して、バーコードリーダ２０がバーコード１２を読みとることが可能であるためにそのように書き添えられる情報を起訴する。一旦バーコードリーダ２０がバーコード１２を読みとると、それは間隔計時機構２６に妥当な信号を送る。間隔計時機構２６は、格納式のピンのブロッケージによって、生じる運動の抑制がもつ時間の長さを制御する。一旦間隔計時機構２６がソレノイド７０を起動させると、ピンの退縮は起こる。そして、ユーザーの力の方向のスリーブ５０の運動は回復される。
【００５０】
バーコードセンサは、間隔計時機構−ピンメカニズムをプラスして活動抑制指標を起動させた 
本発明の好適な実施例（図４Ｈ）の第６の傾の傾（ａ）において、間隔計時機構２６は電気的に活動抑制指標８０に連結される。活動抑制指標８０は、間隔計時機構２６およびバーコードリーダ２０の間に接続される。
【００５１】
傾において、間隔計時機構２６は活動抑制指標８０およびもたつくメカニズムに信号を起動させる持続期間を制御する。
【００５２】
機械的なセンサースイッチ活性ホイール式 
本発明の好適な実施例の第７の傾の、運動機械が図５Ａにおいて、図で示されるメカニズムを含むこと。Ｔｈｉｓメカニズムは、時間の量のための移動性の面の運動の抑制を起動させるために機械的なセンサースイッチを運用する。この傾において、外側の車１０は、前突１６を起動させているスイッチを含む。前突１６を起動させているスイッチは、外側の車１０（ブレーキ胴４０）の頂部または側が縄でつなぐ書き添えられた閉路でありえるかまたは移動性の面の運動に関して動く部分をａｎｙｍｏｖｉｎｇするとすぐに位置させられることが可能であるかまたは据え付けの部分に位置させられることが可能である。使用する機械的なセンサースイッチは、跳躍現象センサースイッチ２５である。外側の車１０が跳躍現象センサースイッチ２５によって、前突１６を起動させているスイッチを回転させて、移すように、跳躍現象センサースイッチ２５は前突１６を起動させているスイッチが跳躍現象センサースイッチ２５を起動させることができるために配置される。跳躍現象センサースイッチ２５は、間隔計時機構２６に接続している。間隔計時機構２６は、もたつくメカニズムに接続している。もたつくメカニズムは、電気の制動ｍｅｃｈａｎｉｓｍ．Ａｎ電気ブレーキ３０がブレーキ胴４０の範囲内で位置することを含む。ブレーキ胴４０も、内側の抑制のアイレット４２および外側の抑制のアイレット１８間の定数に備えるために低圧反動抑制ばね４４を含む。内側の抑制のアイレット４２は、ブレーキ胴４０に添付される。外側の抑制のアイレット１８は、外側の車１０に添付される。内側の抑制のアイレット４２がユーザーの印加力の方向に直接に外側の抑制のアイレット１８の経路を遮断しているように、板は指向される。
【００５３】
外側の車１０が跳躍現象センサースイッチ２５によって、前突１６を起動させているスイッチを回転させるように、跳躍現象センサースイッチ２５は引き起こされる。前突１６を起動させているスイッチが跳躍現象センサースイッチ２５の下で移すように、跳躍現象センサースイッチ２５は前突１６を起動させているスイッチにより起動する。跳躍現象センサースイッチ２５が前突１６を起動させているスイッチを移すことにより起動できるために、跳躍現象センサースイッチ２５は書き添えられる。跳躍現象センサースイッチ２５は、それから間隔計時機構２６に妥当な起動させている信号を送る。間隔計時機構２６は、電気ブレーキ３０に信号を起動させる持続期間を制御する。一旦電気ブレーキ３０が起動すると、電気装置のブレーキ片３２は自由に回転可能なブレーキ胴４０に対して、３０のプレスを制動する。そして、ブレーキ胴４０の運動を遮断する。電気ブレーキ３０は、ブレーキ胴４０の回転を止めることが可能であるために書き添えられる。内側の抑制のアイレット４２（それはブレーキ胴４０に書き添えられる）は、１０．Ｔｈｅ外側の車１０が一方向へ運動をさせないようにされる外側の車に書き添えられる外側の抑制のアイレット１８に接触するもう一方でない。一旦間隔計時機構２６によって、送られる信号が止められると、電気ブレーキ３０は開放される。そして、跳躍現象センサースイッチ２５が他の前突により起動するまで、外側の車１０の運動はいずれの方向にもおいて許される。
【００５４】
機械的なセンサースイッチは、間隔をプラスして電気ブレーキおよび活動抑制指標を起動させたタイマー−ホイール式 
本発明の好適な実施例（図５Ｂ）の第７の傾の傾（ａ）において、間隔計時機構２６は電気的に活動抑制指標８０に連結される。活動抑制指標８０は、電気ブレーキ３０に接続している。
【００５５】
傾において、間隔計時機構２６は活動抑制指標８０および電気ブレーキ３０に信号を起動させる持続期間を制御する。
【００５６】
機械的なセンサースイッチは、間隔計時機構−ホイール式をプラスして活動抑制指標を起動させた 
本発明の好適な実施例（図５Ｃ）の第７の傾の傾（ｂ）において、間隔計時機構２６は電気的に活動抑制指標８０に連結される。そして、システムにおいて、運用されるブレーキ機構がない。
【００５７】
間隔計時機構２６は、活動抑制指標８０に、信号を起動させる持続期間を制御する。
【００５８】
機械的なセンサースイッチ活性管型 
本発明の好適な実施例の第８の傾において、そして、図２において、図で示される図によれば、運動機械は、図５Ｄにおいて、図で示される抑制メカニズムを含む。ユーザーが力ｈｉを行使する移動性の面に、スリーブ５０は連結される面があるこの傾鉄棒５２。鉄棒５２は、また、耐性源に連結される。この傾において、耐性源は、自由体重である。スリーブ５０は、前突１６を起動させているスイッチを含む。前突１６を起動させているスイッチは側を書き添えられる。そして、スリーブ５０、しかし、可能は移動性の面の運動に関して動くいかなる可動部品にも位置させられるかまたは据え付けの部分に位置させられる。機械的なセンサースイッチは、跳躍現象センサースイッチ２５である。スリーブ５０がスイッチによって、前突１６を起動させているスイッチを動かすように、跳躍現象センサースイッチ２５は前突１６を起動させているスイッチがスイッチを起動させることができるために配置される。跳躍現象センサースイッチ２５は、間隔計時機構２６に接続している。間隔計時機構２６は、もたつくエフェクタメカニズムに接続している。もたつくエフェクタメカニズムは、電気のクランプブレーキ６０を含む。電気のクランプブレーキ６０は、スリーブ５０の上に位置する。動作中でないときに、電気のクランプブレーキ６０はスリーブ案内５４に自由に動く。
【００５９】
前突１６を起動させているスイッチを含む第８の傾（スリーブ５０）は跳躍現象センサースイッチ２５によって、前突１６を起動させているスイッチを動かす、跳躍現象センサースイッチ２５は引き起こされる。前突１６を起動させているスイッチが跳躍現象センサースイッチ２５の下で移すように、跳躍現象センサースイッチ２５は前突１６を起動させているスイッチにより起動する。跳躍現象センサースイッチ２５は、それから間隔計時機構２６に妥当な信号を送る。間隔計時機構２６は、電気のクランプブレーキ６０に、信号を起動させる持続期間を制御する。一旦電気のクランプブレーキ６０が起動すると、電気のクランプブレーキ６０はスリーブ案内５４に対して押圧する。そして、ユーザーの力の方向にスリーブ５０の運動を遮断する。一旦間隔計時機構２６によって、送られる信号が止められると、電気のクランプブレーキ６０は開放される。そして、スリーブ５０の運動はいずれの方向にもおいて許される。
【００６０】
機械的なセンサースイッチは、間隔をプラスして電気ブレーキおよび活動抑制指標を起動させたタイマー−管型 
本発明の好適な実施例（図５Ｅ）の第８の傾の傾（ａ）において、間隔計時機構２６は電気的に活動抑制指標８０に連結される。活動抑制指標８０は、電気のクランプブレーキ６０に接続している。
【００６１】
傾、活動抑制指標８０に、信号を起動させる持続期間および電気装置が締付ける間隔計時機構２６の制御は、制動する６０。
【００６２】
機械的なセンサースイッチは、間隔計時機構−管型をプラスして活動抑制指標を起動させた 
本発明の好適な実施例（図５Ｆ）の第８の傾の傾（ｂ）において、間隔計時機構２６は電気的に活動抑制指標８０に連結される。そして、システムにおいて、運用されるブレーキ機構がない。
【００６３】
間隔計時機構２６は、活動抑制指標８０に、信号を起動させる持続期間を制御する。
【００６４】
機械的なセンサースイッチ活性ピンメカニズム 
本発明の好適な実施例の、そして、図に従う第９の傾が図２において、図で示した、運動機械が図で示される抑制メカニズムを含むｈｉ図５Ｇ。スリーブ５０は、鉄棒５２に連結される。鉄棒５２は、また、耐性源に連結される。耐性源は、自由体重である。スリーブ５０は、前突１６を起動させているスイッチを含む。前突１６を起動させているスイッチは側を書き添えられる。そして、スリーブ５０、しかし、可能は移動性の面の運動に関して動くいかなる可動部品にも位置させられるかまたは据え付けの部分に位置させられる。使用する機械的なセンサースイッチは、跳躍現象センサースイッチ２５である。スリーブ５０がスイッチによって、前突１６を起動させているスイッチを動かすように、跳躍現象センサースイッチ２５は前突１６を起動させているスイッチがスイッチを起動させることができるために配置される。跳躍現象センサースイッチ２５は、間隔計時機構２６に接続している。間隔計時機構２６は、もたつくｅｆｆｅｃｔｏｒｍｅｃｈａｎｉｓｍに接続している。ｅｆｆｅｃｔｏｒｍｅｃｈａｎｉｓｍをＴｈｅｈａｌｔｉｎｇすることは、ソレノイド７０を含む。ソレノイド７０は、スリーブ案内５４に突き出て、格納式であるピンを制御する。
【００６５】
ｐｒｏｔｒｕｓｉｏｎｌ  ６を起動させているスイッチとしての第９の傾において、跳躍現象センサーの下のパスは２５を切り換える。そして、跳躍現象センサースイッチ２５ｂｅｃｏｍｅｓが起動する。前突１６を起動させているパッシングスイッチによって、動作中の跳躍現象センサースイッチ２５は、跳躍現象センサースイッチ２５ｍａｙがそうするために、書き添えられてある。跳躍現象センサースイッチ２５は、それから間隔計時機構２６に妥当な信号を送る。間隔計時機構２６は、それから引き起こされる。間隔計時機構２６は、格納式のピンのブロッケージによって、生じる運動の抑制がもつ時間の長さを制御する。一旦間隔計時機構２６がソレノイド７Ｏを起動させると、ピンの退縮が起こって、そして、ユーザーの方向のスリーブ５０の運動、ｓ力は、回復される。
【００６６】
機械的なセンサースイッチは、間隔計時機構−ピンをプラスして活動抑制指標を起動させたメカニズム 
本発明の好適な実施例（図５Ｈ）の第９の傾の傾（ａ）において、間隔計時機構２６は電気的に活動抑制指標８０に連結される。活動抑制指標８０は、間隔計時機構２６および跳躍現象センサースイッチ２５の間に接続される。
【００６７】
間隔計時機構２６は、活動抑制指標８０およびもたつくメカニズムに信号を起動させる持続期間を制御する。
【００６８】
電気のクランプブレーキ６０は、図６に示される。電気のクランプブレーキは、ブレーキハウジング６１を含む。ブレーキハウジング６１は、ブレーキパッド６２をつかむ。軸ボルト６３は、スリーブ上のクランプブレーキ機構クランプが５４を案内する軸である。ブレーキ兵器６４は、ブレーキパッド６２をスリーブ案内５４に適用するためにブレーキハウジング６１を押し出す。ブレーキ腕は、ブレーキ卵黄６５に接続している。ブレーキ卵黄６５は、ロータリーソレノイド６６に接続している。一回起動するロータリーソレノイドは、卵黄を回して、ブレーキパッド６２をスリーブ案内５４に適用する。
【００６９】
本発明の第３の具体化において、本発明はユーザーのトルソを行使する耐性運動機械である。
【００７０】
本発明の具体化の前方に、本発明がユーザーが有する耐性運動ｍａｃｈｉｎｅｗｈｉｃｈ運動であること付属器。
【００７１】
本発明の第５の具体化において、本発明はユーザーの首を行使する耐性運動機械である。
【００７２】
本発明のｓｉｘｔｈｅｍｂｏｄｉｍｅｎｔにおいて、ユーザーを行使する耐性運動機械が有するｉｎｖｅｎｔｉｏｎｉｓは、率いる。
【００７３】
本発明の第７の具体化において、本発明はユーザーの指を行使する耐性運動機械である。
【００７４】
本発明の第８の具体化において、本発明はユーザーのトルソ、付属器、首、頭部または指を行使する耐性運動機械である。
【００７５】
本発明および全ての上述の具体化の第９の具体化および本発明の傾において、センサーもタイマーも現存しない、そして、ユーザーに制御されたスイッチはもたつくエフェクタメカニズムを制御する。
【００７６】
本発明の第１０の具体化のｉｎｖｅｎｔｉｏｎｉｓ組み合わせ運動機械が卓上形クランクプレス、肩プレス、予冷、三頭のプレス、ｂｉｃｅｐ渦、膝屈曲筋渦およびあし拡張である組み合わせ耐性ｅｘｅｒｃｉｓｅｍａｃｈｉｎｅ。
【００７７】
それらのそれぞれの傾と同様に一番目（前方に、そして、第７に傾）の他の具体化の（本発明の好適な実施例の中で、ａ）ｓ、もたつくエフェクタメカニズムは据え付けの内側の抑制のアイレット４２を含む、引込むことが可能である。そして、延ばす。内側の抑制のアイレット４２が外側の抑制のアイレット１８に接触するためにぜん延のときに、内側の抑制のアイレット４２はそれから外側の車１０の運動を禁止することが可能である。内側の抑制のアイレット４２は、取り消されることができて、ソレノイドまたは原動機によって、延ばされることができて、ｕｎｒｏｔａｔａｂｌｅな面（例えばｕｎｒｏｔａｔａｂｌｅなブレーキ胴）に取り付けられることが可能である。
【００７８】
本発明の使いかたをなしとげる１つの方法で、機械のユーザーが耐性にリンクされた面、例えばバー、ハンドルパッド、マットその他に力を行使することような（耐性源から面まで連結される耐性を克服して、面に動かせること）。面がユーザーによって、そして、耐性源の力の方向とは逆に行使されている力の方向に動くように、検知メカニズムが移動性の面の関節可動域に沿って、面により達成される確かな位置を検出したあと、機械はもたつくエフェクタメカニズムを行使する。間隔計時機構により決定される時間の量のために、このもたつくエフェクタメカニズムはユーザーの印加力の方向に面の抑止ゲートまたは抑止ゲート運動に指示する、その一方で、反対方向の運動を許す。ユーザーの印加力の方向の運動の抑制の間、ユーザーは抑制で面をつかむことを必要とする。運動の抑制は、時間の量のために起こる。理想的に、時間の量は、ちょうど単なる停止から２０秒以上の抑制まで変動できる。運動の抑制は、運動の十分の関節可動域に沿って、停止および試みやり方で起こる。理想的に、運動の関節可動域の上の運動を禁止する時の量が、１から２０以上まであってもよい。ユーザーのものの方向の抑制が時間の選択された量のための力を行使したあと、ユーザーがそれから次の抑制に面を動かして、（ｉｆｍｏｒｅ  １つの抑制が、必要とされる）、そして、関節可動域の端までの過程を延期する。
【００７９】
本発明の互生の具体化において、もたつくエフェクタメカニズムは、移動性の面により進行される距離に関係なく、間欠的にタイマーによって、引き起こされる。
【００８０】
本発明の互生の他の具体化の、本発明が運動機械であることユーザーの後、運動機械上の繰返しの陽性部を完了して、そして、その初期位置（繰返しの陰性相に沿って確かな位置で時間の量のためのユーザーにより行使される力の方向の機械抑止ゲート運動）に、耐性源に連結される移動性の面を選出することを始める。
【００８１】
本発明の互生の他の具体化の、本発明が運動機械であることユーザーの後、運動機械上の繰返しの陽性部を完了して、そして、その初期位置（ユーザーが繰返しの陰の部分に沿って、確かな位置をなしとげる時間の量のためのユーザーに対する機械信号）に、耐性源に連結される移動性の面を選出することを始める。
【００８２】
本発明の別の態様において、本発明は時間（移動性の面に行使される外力によって、原因となられる方向の機械上の移動性の面の運動）の量のための抑止ゲートに、装置を許すためのメカニズムを含む耐性運動機械を運用するａｍｅｔｈｏｄを提供する。その一方で、装置は外力に反対方向の移動性の面の拘束されない運動を許す、そして、移動性の面は外の印加力に直径である力を行使する耐性源に連結される。この手順は、以下を含む：ボディ部によって、移動性のものに接触しているａ）；力、可動部がユーザーのｂｏｄｙｐａｒｔで表面化するｂ）ａｐｐｌｙｉｎｇは、耐性源から力の反対側に方向の転送に移動性の面の原因となる；ｃ）禁じている確かな距離の後の移動性の面の運動が原因となられる方向の移動性の面により進行された時間の量のための実用的な力；時間の量の後、抑制を取りはずしているｄ）；そうすると、ｅ）が移動性の面が進行された確かな距離を移すことを提議して、このことにより、耐性を運用することは、機械を行使する。
【００８３】
第３の本発明の態様において、本発明は時間（移動性の面に行使される外力によって、原因となられる方向の装置上の移動性の面の運動）の量のための抑止ゲートに、装置が含む装置（例えば耐性運動機械）のための部分を含んでいるキットにａｍｅｃｈａｎｉｓｍｆｏｒ  ａｌｌｏｗｉｎｇｔｈｅ装置を提供する。その一方で、装置は外力に反対方向の移動性の面の拘束されない運動を許す、そして、移動性の面は外の印加力に直径である力を行使する耐性源に連結される。
【００８４】
Ｔｈｅｋｉｔは、含むことができる：ａ）、関節可動域に沿った移動性の面の位置を決定して、妥当な信号（移動性の面の位置に応答する）を中継するために、検知メカニズム；ｂ）前記タイマーが活性化信号の持続期間または遅れを制御するタイマー；そして、ｃ）一方向へ移動性の面の運動を禁止するもたつくエフェクタメカニズム他の方向の移動性の面の運動を許す。
【００８５】
本発明は、含むが、これに限定されるものではない：ベンチプレスマシン、軍事用プレスマシン、上腕三頭筋プレスマシン、ローイング（ｒｏｗｉｎｇ）マシン、デッドリフト（ｄｅａｄ−ｌｉｆｔ）マシン、腰背部伸展用マシン、シュラッグ（ｓｈｒｕｇ）マシン、ディップ（ｄｉｐ）マシン、頸部用マシン、シットアップマシン、腹斜筋用マシン、腹部引き締め用マシン、腹筋用マシン、脚上げ用マシン、プルオーバーマシン、外転筋用マシン、ラタラルレイズ（ｌａｔｅｒａｌ  ｒａｉｓｅ）マシン、前腕カールマシン、前腕伸筋用マシン、グリップマシン、腱板用マシン、トレンチカール（ｔｒｅｎｃｈ  ｃｕｒｌ）マシン、三頭筋用ドンキーキックバック（ｄｏｎｋｅｙ  ｋｉｃｋｂａｃｋ）マシン、フライマシン、ペックデッキ（ｐｅｃｔｏｒａｌ  ｄｅｃｋ）マシン、臀部用マシン、膝腱用カールマシン、レッグプレスマシン、スクワットマシン、カーフレイズ（ｃａｌｆ  ｒａｉｓｅ）マシン、前脛骨用マシン、後部三角筋用マシン、前部三角筋用マシン、胴部回転用マシン、およびケーブルマシン
Ａｒｅｓｉｓｔａｎｃｅ源は、含むが、これに限定されるものではないｔｏｗｅｉｇｈｔ煙突、自由体重、可撓性の杆菌、てこ作用システムその他ようなユーザーのものに異議を申し立てている耐性の原因となることは力を行使した。
【００８６】
耐性運動機械は、移動性の面に連結される耐性源を有する運動機械である。
【００８７】
移動性の面は、含むが、これに限定されるものではない：バー上の面、パッド、マット、ハンドル、絆創膏、ロープ、ベルトその他ような、運動装置の実体またはユーザーは、ボディ部を配置することができて、力を発揮することができて、接触、  
Ａ板、車、円板または板がある面がｄｒｕｍ葉ｈａｔがあるブレーキの同様の機能を執行できることを提議できる：外側の車によって、自由に動く；禁止されるその（板、車、円板または板）回転を有することができる；そして、有してまたは板、車、円板または板の回転が支障をきたされる他の方向の運動を許すと共に、一方向へ外側の車の運動を禁止するためにこの種の方法の外側の車と入出力を行うアイレットをそれに対して書き添えた。
【００８８】
電気的なＢｒａｋｉｎｇｍｅｃｈａｎｉｓｍ  ｍａｙｕｓｅ、動水半径、含気性であるか機械的な手段またはその機能をなしとげるためにそれの組み合わせ。
【００８９】
活動抑制指標は、含むが、これに限定されるものではない：光、音または面に適用されている外力を減らすユーザーに対する指示に関するこの種の同類。優先の活動抑制指標は、全体に光である。
【００９０】
本発明のコードは、含むが、これに限定されるものではない：バーコードにおいて、エンコードされる情報電磁式であるか、磁石であるか音の暗号化、そして、移動性の面の運動に、ｈｉ関係を動かすいかなる可動部品にも位置させられる、さもなければ、据え付けの部分に位置させられる。コードはまた、部分に書き添えられることが可能である。そして、それは移動性の面により進行される距離を測定できる。
【００９１】
読者は、確かなコードを読みとることができるセンサーである。
【００９２】
テザーは、含むが、これに限定されるものではない：ワイヤロープ、鎖、ベルト、等は、付加耐性源および移動性の面に連結した。
【００９３】
外力は、装置以外の実体または機械により発揮される力である。開示された装置を運用すると共に、外力が、ユーザーのｂｏｄｙｐａｒｔによって、機械のユーザーにより発揮されている力であると臆断される。
【００９４】
上の説明書がいくつかの特異性を含むにもかかわらず、これらは本発明の適用範囲を規制するが、単に本発明のいくつかの好適な本実施例の挿入図を規定するだけであるとして酌量されてはならない。たとえば、もたつくエフェクタメカニズムは膀胱型ブレーキを運用できる、ユーザーを軽く押す手段、本発明の適用範囲がそうしなければならないタイマー（その他Ｔｈｅｒｅｆｏｒｅ）はいつ検知メカニズムが連結される一時停止運動（検出が化学的相互作用に基づく検知メカニズム）に、挙げられた例によって、添付の請求の範囲およびそれらの法律の相当材により決定される。
【図面の簡単な説明】
【００９５】
【図１Ａ】図１Ａ〜図１Ｃは、カム−型耐性機械、プリー−型耐性機械および管−型耐性がメカニズムを機械加工する閉路が時間の量のための方向の運動を禁止するところがそうすることができる。
【図１Ｂ】図１Ａ〜図１Ｃは、カム−型耐性機械、プリー−型耐性機械および管−型耐性がメカニズムを機械加工する閉路が時間の量のための方向の運動を禁止するところがそうすることができる。
【図１Ｃ】図１Ａ〜図１Ｃは、カム−型耐性機械、プリー−型耐性機械および管−型耐性がメカニズムを機械加工する閉路が時間の量のための方向の運動を禁止するところがそうすることができる。
【図２】図２は、移動性の面により進行される確かな距離での方向の装置上の移動性の面の時間運動の量のための抑止ゲートに対する優先のメカニズムの概略図である。
【図３Ａ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｂ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｃ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｄ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｅ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｆ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｇ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｈ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図３Ｉ】ｏｐｔｏ時限開閉器センサーの図３Ａｔｏ  ３１ｓｈｏｗｓ成分はメカニズムを起動させた。そして、それは耐性機械の与えられた運動のための関節可動域に沿って、等尺性で徐々に増加する収縮の手段として運用される。
【図４Ａ】図４Ｈに対する４Ａは、耐性機械の与えられた運動のための運動の範囲に沿って等尺性で徐々に増加する収縮の手段として運用されるバーコードセンサ活性メカニズムの成分である。
【図４Ｂ】図４Ｈに対する４Ａは、耐性機械の与えられた運動のための運動の範囲に沿って等尺性で徐々に増加する収縮の手段として運用されるバーコードセンサ活性メカニズムの成分である。
【図４Ｃ】図４Ｈに対する４Ａは、耐性機械の与えられた運動のための運動の範囲に沿って等尺性で徐々に増加する収縮の手段として運用されるバーコードセンサ活性メカニズムの成分である。
【図４Ｄ】図４Ｈに対する４Ａは、耐性機械の与えられた運動のための運動の範囲に沿って等尺性で徐々に増加する収縮の手段として運用されるバーコードセンサ活性メカニズムの成分である。
【図４Ｅ】図４Ｈに対する４Ａは、耐性機械の与えられた運動のための運動の範囲に沿って等尺性で徐々に増加する収縮の手段として運用されるバーコードセンサ活性メカニズムの成分である。
【図４Ｆ】図４Ｈに対する４Ａは、耐性機械の与えられた運動のための運動の範囲に沿って等尺性で徐々に増加する収縮の手段として運用されるバーコードセンサ活性メカニズムの成分である。
【図４Ｇ】図４Ｈに対する４Ａは、耐性機械の与えられた運動のための運動の範囲に沿って等尺性で徐々に増加する収縮の手段として運用されるバーコードセンサ活性メカニズムの成分である。
【図４Ｈ】図４Ｈに対する４Ａは、耐性機械の与えられた運動のための運動の範囲に沿って等尺性で徐々に増加する収縮の手段として運用されるバーコードセンサ活性メカニズムの成分である。
【図５Ａ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図５Ｂ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図５Ｃ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図５Ｄ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図５Ｅ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図５Ｆ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図５Ｇ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図５Ｈ】図５Ａｔｏ  ５Ｈは、耐性機械の与えられた運動のための運動の範囲に沿って等尺性で徐々に増加する収縮の手段としてｉｓｕｓｅｄした跳躍現象センサースイッチ活性メカニズムの成分である。
【図６】図６は、電気ブレーキクランプである。
【符号の説明】
【００９６】
１０…外側の車
１２…バーコード
１３…円板の引き金を引いているｏｐｔｏ時限開閉器センサー
１４…センサー検出可能な前突
１６…前突を起動させているスイッチ
１８…外側の抑制のアイレット
２０…バーコードリーダ
２１…プロセッサ
２２…ユーザー定義の入力
２４…ｏｐｔｏ時限開閉器センサー
２５…跳躍現象センサースイッチ
２６…間隔計時機構
３０…電気ブレーキ
３２…ブレーキ片
４０…ブレーキ胴
４２…内側の抑制のアイレット
４４…反動抑制ばね
５０…スリーブ
５２…鉄棒
５４…スリーブ案内
６０…電気のクランプブレーキ
６１…ブレーキハウジング
６２…ブレーキパッド
６３…軸ボルト
６４…ブレーキ腕
６５…ブレーキ卵黄
６６…ロータリーソレノイド
７０…ソレノイド
８０…活動抑制指標
【図１Ａ】
2008509758.tif 000003
【図１Ｂ】
2008509758.tif 000004
【図１Ｃ】
2008509758.tif 000005
【図２】
2008509758.tif 000006
【図３Ａ】
2008509758.tif 000007
【図３Ｂ】
2008509758.tif 000008
【図３Ｃ】
2008509758.tif 000009
【図３Ｄ】
2008509758.tif 000010
【図３Ｅ】
2008509758.tif 000011
【図３Ｆ】
2008509758.tif 000012
【図３Ｇ】
2008509758.tif 000013
【図３Ｈ】
2008509758.tif 000014
【図３Ｉ】
2008509758.tif 000015
【図４Ａ】
2008509758.tif 000016
【図４Ｂ】
2008509758.tif 000017
【図４Ｃ】
2008509758.tif 000018
【図４Ｄ】
2008509758.tif 000019
【図４Ｅ】
2008509758.tif 000020
【図４Ｆ】
2008509758.tif 000021
【図４Ｇ】
2008509758.tif 000022
【図４Ｈ】
2008509758.tif 000023
【図５Ａ】
2008509758.tif 000024
【図５Ｂ】
2008509758.tif 000025
【図５Ｃ】
2008509758.tif 000026
【図５Ｄ】
2008509758.tif 000027
【図５Ｅ】
2008509758.tif 000028
【図５Ｆ】
2008509758.tif 000029
【図５Ｇ】
2008509758.tif 000030
【図５Ｈ】
2008509758.tif 000031
【図６】
2008509758.tif 000032
【国際調査報告】
2008509758.tif 000033